(57)【特許請求の範囲】
【請求項１】
光源、熱源、放電あるいは化学反応により励起されレーザ光を増幅するレーザ媒質と、前記レーザ媒質を挟んで対向して配置され、前記レーザ媒質から出射されるレーザ光を反射する、少なくとも１組の反射鏡を含む共振器とを備えたレーザ発振器において、
前記共振器内の前記反射鏡とレーザ媒質の励起が起る領域の間にレーザ媒質の滞留領域が形成され、該滞留領域に光触媒が備わっていることを特徴とするレーザ発振器。
【請求項２】
前記レーザ媒質を励起する光源、熱源、放電あるいは化学反応により発生する紫外線で前記光触媒を励起することを特徴とする、請求項１に記載のレーザ発振器。
【請求項３】
前記光触媒がオイルミストなどの有機物を分解するものであることを特徴とする、請求項１に記載のレーザ発振器。
【請求項４】
内壁面および外壁面の少なくとも一方に光触媒層を備えた、中空の筒形状体を備えたことを特徴とする、請求項１に記載のレーザ発振器。
【請求項５】
前記光触媒が、Ｔｉ０2 ，Ｚｎ０，Ｓｎ０2 ，ＳｒＴｉ０3 ，Ｗ０3 ，Ｂｉ2 ０3 またはＦｅ2 ０3 であることを特徴とする、請求項１に記載のレーザ発振器。
【請求項６】
前記光触媒の担体として、石英管を用いたことを特徴とする、請求項１に記載のレーザ発振器。
【請求項７】
レーザ媒質を励起する際に発生する紫外線が直接照射される領域に、前記光触媒を備えていることを特徴とする、請求項１に記載のレーザ発振器。
【発明の詳細な説明】
【０００１】
【発明の属する技術分野】
本発明は、例えばレーザ加工、医学治療、照明や通信に用いられるレーザ発振器に関し、更に詳しく言えば、発振器内の光学部品周辺の気体中に存在するオイルミストなどの有機物を光触媒反応により分解し、光学部品の汚染を低減する機能を備えたレーザ発振器に関する。
【０００２】
【従来の技術】
一般に、レーザ発振器では、種々の理由により、光学部品の周辺雰囲気にオイルミストなどの気化した有機物が存在する。これら気化した有機物が、冷却されている光学部品の表面で凝固し、付着すると、レーザ光を吸収して、レーザ出力が低下したり、発熱し、光学部品が劣化したり、歪みが生じて、レーザビーム品質が悪化する。
【０００３】
図４は、このことをガスレーザの場合を例にとって説明する図で、ガスレーザ発振器の光学部品の近傍が例示されている。同図において、符号２は放電管で、符号４は本例における光学部品を構成する共振器ミラーの一方（リア鏡または出力鏡）を示す。光学部品４は光学部品保持機構８によって保持される。放電管２は、共振器ミラー間（一方のみ図示）に配置されるとともに、ブロアを含む循環路中に組み込まれている。そして。この循環路を使って放電管２中をレーザガス７が高速で流通する。
【０００４】
放電管２内で起る放電３によってレーザガスが励起（ポンピング）されると、周知の原理によって誘導放出光が発生、増幅されて、出力鏡（共振器ミラーの一方）から出力される。このようなレーザ発振器を運転していると、上記したように、光学部品４の周辺雰囲気（ここではレーザガス７）中に、オイルミストなどの気化した有機物が混入してくる。光学部品４は歪みを防止するために保持機構８を介して冷却されているのが通例である。
【０００５】
そのため、これら気化した有機物が、冷却されている光学部品４の表面で凝固し、付着する。しかも、図示されているように、気体（ここではレーザガス）の循環路の入口（または出口）と光学部品４の間には、気体が流れ難いガス滞留部１３が生じるので、有機物の光学部品４への凝固、付着を加速させる。その結果、光学部品４を頻繁に清掃あるいは交換することが必要となり、ランニングコストの増大の原因になっている。
【０００６】
なお、特開２００１−２８４６８５号公報には、レーザ発振器の筐体内壁に光触媒層を備える方式について記載されているが、この技術はガスレーザにおけるレーザガスの主成分の組成劣化を抑制するためのものである。即ち、レーザガスが大量に、また高速で循環する環境下であるため、レーザガス中に微量に含まれるオイルミストなどの光学部品の汚染物質に対しては大部分が無反応であり、効率的にオイルミストを分解除去することができない。また、光触媒の配置が光学部品から離れているため、光学部品の浄化作用は殆ど期待できなかった。
【０００７】
【発明が解決しようとする課題】
本発明は、レーザ発振器において、光学部品周辺の気体中に微量に含まれるオイルミストなどの有機物を効率良く分解除去することを可能とし、光学部品の汚染、劣化、レーザビーム品質劣化などの問題点を解消し、光学部品のメンテナンス作業負担とランニングコストを低減することを目的としている。
【０００８】
【課題を解決するための手段】
本発明は、光源、熱源、放電あるいは化学反応により励起されレーザ光を増幅するレーザ媒質と、前記レーザ媒質を挟んで対向して配置され、前記レーザ媒質から出射されるレーザ光を反射する、少なくとも１組の反射鏡を含む共振器とを備えたレーザ発振器に適用される。
【０００９】
本発明に従えば、前記共振器内の前記反射鏡とレーザ媒質の励起が起る領域の間にレーザ媒質の滞留領域が形成されるとともに、該滞留領域に光触媒が配備され、それによって上記課題が解決される。ここで、前記光触媒は、前記レーザ媒質を励起する光源、熱源、放電あるいは化学反応により発生する紫外線で励起されるものであって良い。また、前記光触媒はオイルミストなどの有機物を分解するものであることが好ましい。
【００１０】
光触媒の設置形態として、例えば、内壁面および外壁面の少なくとも一方に光触媒層を備えた、中空の筒形状体を備えたものを用いることが出来る。前記光触媒の材料としては、例えばＴｉ０2，Ｚｎ０，Ｓｎ０2，ＳｒＴｉ０3，Ｗ０3，Ｂｉ2０3またはＦｅ2０3がある。前記光触媒の担体としては、例えば石英管を用いることが出来る。
【００１１】
レーザ媒質は流動する気体であって良く、その場合、発振器内部の前記反射鏡と該気体の励起が起る領域の間の気体滞留領域に前記光触媒が設けられる。また、レーザ媒質を励起する際に発生する紫外線が直接照射される領域に前記光触媒が備わっていることが好ましい。
【００１２】
このように、本発明では、レーザ発振器内の光学部品が、周辺気体中のオイルミストなどの有機物によって汚染されるという問題を、その光学部品の近くに配備することで解決する。典型的には、光学部品近傍の、紫外光が直接照射され、ガスが滞留する領域に、酸化チタンなどの光触媒が配備される。これにより、光触媒はオイルミストなどの有機物を確実に効率良く分解除去し、光学部品の汚染を著しく低減する。
【００１３】
紫外線により励起され、有機物に対して酸化分解反応を起こす光触煤自体は既に知られているところであるが、本発明はこのような光触煤をレーザ発振器の光学部品の近傍とする点に新規且つ重要な特徴がある。ここで、光触煤の酸化分解反応により、オイルミストなどの有機物が分解されるメカニズムは概略以下の通りである。
【００１４】
酸化チタンなどの光触媒に紫外線が照射されると、光電効果により、下記の式のように、電子ｅ-と正孔Ｐ+が生成され、触媒の表面に移動する。電子ｅ-は周辺の酸素を還元して、スーパーオキサイドイオンである０2-、０-や０3-が生成される。
【００１５】
Ｔｉ０2＋ｈν  →  ｅ-＋Ｐ+
ｅ-＋０2    →  ０2-
Ｐ+＋０2-    →  ０-
０-＋０2    →０3-
これら０2-、０-あるいは０3-は、活性酸素種と呼ばれ、強い酸化力をもっている。そのため、有機物分子ＣmＨn（Ｃ；炭素原子、Ｈ；水素原子、m、nは正整数）の酸化反応が起こり、下記式のように炭酸ガスと水に分解される。
【００１６】
ＣmＨn＋０2→Ｃ０2＋Ｈ2０
このようにして、光学部品の近傍に設けられた光触媒は、レーザ励起によって発生する紫外線等により励起され、光学部品周辺の気体中に含まれるオイルミストなどの有機物を分解し、光学部品の汚染を低減する。なお、光学部品周辺の気体は、ガスレーザのレーザガスに限らず、固体レーザの共振器パージガスであって良いことは言うまでもない。パージガスにおいてもそこには、オイルミストなどの有機物が混入し、光学部品周辺の気体側に存在することに変わりはなく、また、固体レーザであっても光触媒の励起には例えば励起ランプの放射光に含まれる紫外線が利用出来る。
【００１７】
【発明の実施の形態】
以下、図１〜図３を参照して本発明の実施形態について説明する。なお、図４に示した従来例と共通した要素については、適宜共通した参照符号を付して図示及び説明を行なう。また、本発明が適用されるレーザ発振器としてここではガスレーザ発振器を取り上げるが、これは本発明を限定するものではない。
【００１８】
即ち、他のタイプのレーザ発振器、例えば固体のレーザ発振媒体を用いる固体レーザ発振器であっても、パージガスなど、光学部品の周りに気体雰囲気が存在し、そこにオイルミスト等の有機物が微量でも含まれるならば、以下に説明する実施形態とほぼ同様の態様で本発明を適用出来ることは言うまでもない。
【００１９】
例えば、パージガスを循環させるランプ励起式の固体レーザ発振器であれば、下記実施形態におけるレーザガスをパージガスに置き換えて考えれば良く、光触媒の励起には励起ランプの放出光に含まれる紫外線を利用すれば良い。
【００２０】
図１を参照すると、本実施形態に係るレーザ発振器の全体構成の概略が示されている。
【００２１】
図１は、本発明の実施形態に係るレーザ発振器について、光学部品の近傍を示した図である。また、図２は同レーザ発振器について、光学部品の近傍を示した図である。これらの図において、符号１はＲＦ電源（ラジオ周波数の交流電源）で、放電管２の電極（図示省略）を励起する。放電管２は、共振器ミラー４、４（一方が出力鏡、他方がリア鏡）の間に配置される。共振器ミラー４、４は、本実施形態における光学部品を構成し、それらはそれぞれ光学部品保持機構８によって保持される。放電管２内には、図示されているように、熱交換器５及びブロア６を含む循環路中に組み込まれ、この循環路を使ってレーザガス７が高速で流される。熱交換器５は高温化したガスを冷やし、ブロア６はレーザガス７を循環させるために、レーザガス７の吸引と送り出しを行なう。
【００２２】
ＲＦ電源１が起動されて放電３が発生し、レーザガス７が励起されると、光学部品４、４で構成される共振器により、レーザ光が発生する。レーザガス７は放電３によって高温となるが、ブロア６の前後の熱交換器５で冷却されて循環することで、放電管２内の昇温が抑制されている。
【００２３】
ここで、ブロア６には潤滑用オイルが注入されているため、オイルの一部が気化してレーザガスに混入する。一方、光学部品４は保持機構８を介して冷却されているため、気化したオイルが光学部品４の表面で凝固し、付着しようとする。特に、図２に示したように、光学部品４とレーザガスの循環路の入口（または出口）の間には、気体が流れ難いガス滞留部１３が生じるので、有機物の光学部品４への凝固、付着が起こり易くなる。
【００２４】
本発明ではこの点に着目し、このような滞留が起る光学部品４の近傍に、光触媒９を設け、オイルミスト等の有機物を効率的に分解する。ここで、「光学部品４の近傍」とは、光学部品４と放電３が起る領域の間と考えて良い。光触媒９の励起には、放電光に含まれる紫外線１０が利用される。即ち、光触媒９は放電光が直接入射出来る位置にあり、励起された光触媒が前述したような光触媒反応を起こし、オイル分子を分解する。
【００２５】
光触媒９は光学部品４の近傍に存在するので、滞留部１３に漂ったオイルミストは高い確率で光触媒９に接近、接触する。その結果、オイルミスト濃度は低く保たれ、光学部品４へのオイルの付着が抑えられる。
【００２６】
図３は、光触媒９の担持形態の一例を示したもので、ここでは中空円筒状の石英管１１が使用されている。即ち、中空円筒形状石英管１１の内壁面（場合によっては外壁面、あるいは、内壁面と外壁面の両方）に例えば酸化チタンの薄膜からなる光触媒層１２が形成され、図２において符号９で示した部分に配備される。ここで円筒の内径は、レーザ光が円筒内部を通過出来るように選ばれる。即ち、円筒の内径は、レーザビーム径より大きく、レーザビームが干渉しない形状となっている。なお、場合によっては、中空円筒形状石英管１１の内壁面に代えて外壁面に、あるいは、内壁面と外壁面の両方に光触媒層が形成されても良い。
【００２７】
以上、本実施例では、ガスレーザにおけるガス流動用ブロアから発生するオイルミストの分解、除去について説明したが、他の固体レーザや化学レーザの発振器内で、熱や励起光によって、その構成部品表面から発生する有機系の気体や、汚染防止のために注入されるパージガス中に含まれる油分などについても、同様な態様で本発明を適用すれば、同様の効果を挙げられることは、繰り返し説明するまでもないであろう。
【００２８】
【発明の効果】
本発明によれば、レーザ発振器において、光触媒を光学部品の近傍に配置することによって、光学部品の汚染が低減できるため、長期間にわたり、安定したビーム品質、レーザ出力を維持することができる。また、光学部品の清掃および交換周期が長くなることにより、メンテナンス作業負担およびランニングコストが低減できる。
【図面の簡単な説明】
【図１】本発明の実施形態に係るレーザ発振器の全体構成の概略を示す図である。
【図２】本発明の実施形態に係るレーザ発振器について、光学部品の近傍を示した図である。
【図３】光触媒の形状を例示した図である。
【図４】従来技術の問題点を説明するために、従来のレーザ発振器の光学部品の近傍を示した図である。
【符号の説明】
１  ＲＦ電源
２  放電管
３  放電
４  光学部品
５  熱交換器
６  ブロア
７  レーザガス
８  光学部品保持機構
９  光触媒
１０  紫外線
１１  石英管
１２  光触媒層
１３  ガス滞留部
【図１】
0003746243.tif 000002
【図２】
0003746243.tif 000003
【図３】
0003746243.tif 000004
【図４】
0003746243.tif 000005